(57)【要約】【課題】  従来の携帯電話機器では、シークレットレベルの設定状態、解除状態の２モードしか選択できず、ユーザの利用状況に応じたシークレットレベルの設定ができない問題があった。【解決手段】  本発明では電話帳データのシークレットレベルを少なくとも３段階に設定できる。これにより、特に着信通知の場合などに、ユーザの所望のシークレットレベルで、または相手により異なるシークレットレベルで設定が可能となる。また、レベルの選択のみで複数の着信通知項目の設定が可能となるので、利便性及び操作性が向上する。シークレットレベルは、電話帳データ毎に３段階のレベルで登録できる。また、シークレットデータとして登録された電話帳データに対して一括して３段階のシークレットレベルのいずれかを設定できる。【選択図】    図５
2005198170.tif 000002
【特許請求の範囲】
【請求項１】
表示部と、無線通信手段と、
少なくとも１つのレコードを有するファイルを記憶する記憶手段と、
前記レコードのシークレットレベルを少なくとも３段階に設定するシークレットレベル設定手段と、
前記シークレットレベルに応じて、前記レコードに含まれるデータの前記表示部への表示を制御するシークレット制御手段と、を具備することを特徴とする携帯通信端末。
【請求項２】
前記シークレットレベル設定手段は、レコード毎にシークレットデータとして設定または解除するシークレットデータ設定手段と、複数の前記シークレットデータに対して少なくとも３段階のシークレットレベルを一括して設定するシークレットモード設定手段とを有することを特徴とする請求項１に記載の携帯通信端末。
【請求項３】
前記シークレットレベル設定手段は、前記レコード毎に少なくとも３段階のシークレットレベルでシークレットデータとして登録および解除するシークレットデータ設定手段と、複数の前記シークレットデータに対してシークレットモードを一括して設定・解除するシークレットモード設定手段とを有することを特徴とする請求項１に記載の携帯通信端末。
【請求項４】
前記シークレット制御手段は、前記無線通信手段を通じて前記レコードに含まれるデータを受信した場合に、該レコードのシークレットレベルに応じて前記データの着信通知を制御することを特徴とする請求項１に記載の携帯通信端末。
【請求項５】
前記記憶手段はアプリケーションプログラムおよびアプリケーションデータを保持し、前記シークレット制御手段は前記レコード内のデータが参照するアプリケーションデータの前記表示部への表示を制御することを特徴とする請求項１に記載の携帯通信端末。
【請求項６】
前記レコードは電話帳データであり、前記ファイルは電話帳ファイルであることを特徴とする請求項１に記載の携帯通信端末。
【発明の詳細な説明】
【技術分野】
【０００１】
本発明は、携帯通信端末に係り、特に個人情報データを扱う電話帳機能を有する携帯通信端末に関する。
【背景技術】
【０００２】
近年の携帯通信端末は、電子メール機能、スケジュール機能、カメラ機能等、種々のアプリケーション機能を有している。特に携帯電話機においては電話帳機能に電話番号やメールアドレス・画像データなどの個別情報データを登録することにより、各種アプリケーションで参照可能となっている。
【０００３】
一方、携帯通信端末ではその携帯性から所有者に限らず第三者の操作・閲覧が容易なため、登録した個別情報データのセキュリティを高める必要がある。例えば、従来の携帯電話機では、シークレット機能により個別の電話帳データを保護している。
【０００４】
シークレット機能とは、他人に知られたくない電話帳をシークレットデータとして登録し、携帯電話機に対して一括してシークレットモードの設定および解除ができるようにした機能である。
【０００５】
具体的には、まず電話帳データの入力画面で個別の電話帳データ毎にシークレットデータとして登録する。その後、アプリケーションメニューからすべてのシークレットデータに対してシークレットモードを設定する。
【０００６】
これにより、シークレットモード設定状態にするとシークレットデータとして登録された電話帳データの内容が非表示になり、シークレットモード解除状態とするとすべての電話帳データが表示される。
【０００７】
また、電話帳データを表示しないだけでなく、シークレットデータとして登録された相手から着信があった場合には一定の基準で着信通知が制限できる。（例えば特許文献１、２参照。）。
【特許文献１】特開平１１−３０８３２２号公報
【特許文献２】特開２０００−１５１８５１号公報
【発明の開示】
【発明が解決しようとする課題】
【０００８】
上記の如く従来のシークレットモードは、用途によらず一定の基準でシークレットモードが自動的に設定されていた。例えば電話着信では、着信音はオン、表示部への着信表示は電話帳番号のみ表示、氏名や登録画像については非表示、着信履歴は電話番号のみ表示、等である。
【０００９】
しかし、特に着信通知におけるシークレットモードの基準は携帯電話機のユーザによって様々である。また、シークレットデータとして登録する相手によっても、シークレットモードのレベルは異なる場合がある。このような場合において、従来の技術では用途に応じてシークレットモードを使い分けることができない。
【００１０】
つまり、すべてのシークレットデータに対して所定のレベルのシークレットモードを設定状態とするか解除とするかしか選択できず、利便性が悪い問題があった。
【００１１】
一方、携帯電話機の多機能化に伴い、着信通知は電話着信／メール着信等が個別に設定できるようになっており、またそれぞれ、着信通知は、着信音、画像、電話番号／メールアドレス表示など複数項目からなっている。従って、シークレットモードの設定状態とする場合にこれらを詳細に設定するのは煩雑である。
【課題を解決するための手段】
【００１２】
本発明は、上述した各事情に鑑みて成されたものであり、第１に、表示部と、無線通信手段と、少なくとも１つのレコードを有するファイルを記憶する記憶手段と、前記レコードのシークレットレベルを少なくとも３段階に設定するシークレットレベル設定手段と、前記シークレットレベルに応じて、前記レコードに含まれるデータの前記表示部への表示を制御するシークレット制御手段と、を具備することにより解決するものである。
【００１３】
また、前記シークレットレベル設定手段は、レコード毎にシークレットデータとして設定または解除するシークレットデータ設定手段と、複数の前記シークレットデータに対して少なくとも３段階のシークレットレベルを一括して設定するシークレットモード設定手段とを有することを特徴とするものである。
【００１４】
また、前記シークレットレベル設定手段は、前記レコード毎に少なくとも３段階のシークレットレベルでシークレットデータを登録・解除するシークレットデータ設定手段と、複数の前記シークレットデータに対してシークレットモードを一括して設定・解除するシークレットモード設定手段とを有することを特徴とするものである。
【００１５】
また、前記シークレット制御手段は、前記無線通信手段を通じて前記レコードに含まれるデータを受信した場合に、該レコードのシークレットレベルに応じて前記データの着信通知を制御することを特徴とするものである。
【００１６】
また、前記記憶手段はアプリケーションプログラムおよびアプリケーションデータを保持し、前記シークレット制御手段は前記レコード内のデータが参照するアプリケーションデータの前記表示部への表示を制御することを特徴とするものである。
【００１７】
また、前記レコードは電話帳データであり、前記ファイルは電話帳ファイルであることを特徴とするものである。
【発明の効果】
【００１８】
本発明によれば、第１に、ユーザの用途に合わせたシークレットレベルの設定ができる。特に、シークレットデータで登録した相手からの着信を通知させる場合、ユーザによって所望するレベルは様々である。そこで、シークレットレベルを３段階以上から選択できるようにすることで、ユーザの利用状況に応じたレベルで設定できる。
【００１９】
第２に、シークレットデータとして登録した相手によっても、それぞれのレベルで設定できる。シークレットデータとしてのレベルを３段階以上から選択することができ、プライバシー情報の保護レベルが向上する。
【００２０】
第３に、シークレットレベルを選択するだけで着信音、着信表示、画像表示、履歴などなどの着信通知が一括して設定できるので、操作性が向上する。
【００２１】
第４に、電話帳データだけでなく画像データ、スケジュールデータに対しても設定できるので、携帯電話機に保存・登録している個別情報の保護強化が図れる。
【発明を実施するための最良の形態】
【００２２】
以下に、本発明における実施の形態について、携帯電話機を例に図１〜図１０を参照にして詳細に説明する。本発明は、任意の携帯電話機に適用できるが、以下では、好適な実施の形態として、折り畳み可能な携帯電話機１について説明する。尚、この形態に限定されるものではなく、例えば、折畳み可能な携帯電話機であって一方の筐体が他方の筐体に対して回転および折畳み自在に指示されるものや、ストレート式の携帯電話機であっても良い。また、本実施の形態は、例えば、電話帳機能等の個別情報データを管理する機能を備える携帯通信端末機を用いても実現することができる。
【００２３】
先ず、図１から図６には、本発明の第１の実施形態を示す。図１は第１の実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。尚、図１の概観図では、カメラ機能を有する形態が示されているが、特に、カメラ機能の有無に関し限定する必要はなく、図２では、カメラ部の説明を省略する。
【００２４】
図１（Ａ）及び（Ｂ）に示す如く、例えば、スピーカー２は携帯電話機１の蓋部内側の上方中央に、マイク３は本体部内側の下方中央にそれぞれ配置されている。また、キー操作部１５は、撮影を行うためのシャッターキー１５１、カメラ機能を起動させるカメラキー１５２、電源投入するための電源キー１５３、メール機能を起動させるメールキー１５４、十字キー１５５、数字入力及び文字入力を行うテンキー１５６等から構成されている。
【００２５】
そして、表示部１４は、スピーカー２が配置されている蓋部内側に四角形状で配置されており、副表示部４は四角い形状で蓋部外側の中央付近に配置されている。更に、撮像部５は、蓋部外側のヒンジ近くの中央付近に配置され、閉じた状態でも副表示部４で被写体を確認しながら撮影ができる。また、背面キー６は副表示部４の下方に配され、閉じた状態でシャッターキーとして使用され、使用者が自らを撮影するのに適している。一方、開いた状態で撮影する場合は、表示部１４あるいは副表示部４で被写体を確認しながら、キー操作部１５のシャッターキー１５１を押下することで撮影することができる。
【００２６】
図２に示す如く、本実施の形態の携帯電話機１は、主に、制御部１１、メモリ１２、表示ドライバ部１３、表示部１４、音声制御部１６、キー操作部１５、アンテナ１７、無線部１８、通信制御部１９、バイブレータ１０、スピーカ２等を備えている。尚、上述したように、本実施の形態では、カメラ機能を構成する撮像部、画像処理部及びそれに伴う画像圧縮処理部、画像伸張処理部等の説明は省略する。
【００２７】
制御部１１は、携帯電話機１を構成する各部位の動作を制御し、例えば、メモリ１２、表示ドライバ部１３、通信制御部１９、音声制御部１６、バイブレータ１０等を制御する。
【００２８】
メモリ１２は、読み出し及び書き込み可能なＲＡＭ（Ｒａｎｄａｍ  Ａｃｃｅｓｓ  Ｍｅｍｏｒｙ）であり、例えば、電話帳機能、スケジュール機能を実現するアプリケーションプログラムや、電話帳ファイル、スケジュールファイ等のアプリケーションデータが保持されている。
【００２９】
電話帳ファイルは、例えば氏名、電話番号、メールアドレス、画像等の個人情報データからなる複数のレコードを保持し、スケジュールファイルは、予定、内容、相手先氏名等のスケジュール情報データからなる複数のレコードを保持している。
【００３０】
また、メモリ１２にはアンテナ１７等を介して受信した各種受信データ、例えば、画像データ、音楽データ、文字データ等も所定のファイル形式にて保存される。
【００３１】
一方、図２には示していないが、携帯電話機１には、読み出し専用であるＲＯＭ（Ｒｅａｄ  Ｏｎｌｙ  Ｍｅｍｏｒｙ）から成るメモリもあり、出荷時に、予め、設定されている画像データ、音楽データも保存されている。
【００３２】
制御部１１は、表示ドライバ部１３に制御信号を送信するとともに、メモリ１２に記憶されている文字データ、画像データを、表示ドライバ部１３に送る。
【００３３】
表示ドライバ部１３は、表示部１４に表示しようとする文字データ、画像データに従って、表示部１４の各画素電極に対して駆動電圧を印加する。表示部１４は、液晶ディスプレイおよびＥＬ（Ｅｌｅｃｔｒｏ  Ｌｕｍｉｎｅｓｃｅｎｓｅ）ディスプレイなどで実現され、表示ドライバ部１３を介して送られてくる画像データに基づく画像を表示する。
【００３４】
キー操作部１５は、上述したように、数字および文字を入力するためのテンキー１５６などから構成される。
【００３５】
アンテナ１２、無線部２５、通信制御部２６の無線通信手段は携帯通信端末の無線通信を可能とする。アンテナ１２は無線電波を介して基地局と無線通信を行うときに、音声データ、文字データおよび画像データなどを送受信する。無線部１８は、所定の通信プロトコルに基づいて、受信時は、基地局からアンテナ１７を介して受信したデータを復調し、送信時は、通信制御部１９から送られてくる文字データおよび画像データなどを変調して増幅し、アンテナ１７を介して基地局に送信する。通信制御部１９は、受信データの中で無線部１８が復調した画像データを、画像切換制御部、画像圧縮部を介してメモリ１２に記憶させる。また、通信制御部１９は、受信データの中で文字データ等を制御部１１の指示に基づき、メモリ１２へと送る。
【００３６】
また、本実施の形態における制御部１１は、シークレットレベル設定手段と、シークレット制御手段を有する。シークレットレベル設定手段は、シークレットデータ設定手段とシークレットモード設定手段により、メモリ１２内に保存されたファイル内のレコード、例えば個別の電話帳データのシークレットレベルを少なくとも３段階に設定する。
【００３７】
シークレットデータ設定手段は、電話帳データを個別にシークレットデータとして設定（登録）または解除する。そして、シークレットモード設定手段は、登録された複数のシークレットデータに対して少なくとも３段階のシークレットレベルを一括して設定する。
【００３８】
また、シークレット制御手段は、シークレットレベル設定手段で設定されたレベルに応じて、個別の電話帳データに含まれるデータ（例えば電話番号、氏名、メールアドレス等）の表示部への表示を制御する。また、シークレット制御手段は、例えば電話帳データに登録された電話番号からの着信があった場合に、電話帳データのシークレットレベルに応じてその電話の着信通知を制御する。すなわち、表示ドライバ部１３、音声制御部１６、バイブレータ１０等に制御信号を送信し、着信表示、着信音、バイブレータ等の制御を行う。また、着信履歴表示のためのメモリ１２への保存の有無についても制御を行う。
【００３９】
また、シークレット制御手段は電話帳データが参照するアプリケーションデータの表示部への表示を制御する。例えば電話帳データの電話番号データ、氏名データに対応づけられた画像データや、スケジュールデータがある場合、表示ドライバ部１３等に制御信号を送信し、これらのアプリケーションデータの表示部１４への表示の有無を制御する。
【００４０】
以下に、シークレットデータ設定手段と、シークレットモード設定手段について、電話帳データを例に更に説明する。
【００４１】
図３は第１の実施形態のシークレットデータ設定手段である電話帳データの入力画面を示す図である。まず本実施形態では、他人に知られたくない電話帳データをシークレットデータとして登録する。
【００４２】
図示の如く、電話帳データは、氏名、電話番号、メールアドレス、メールアドレスの受信フォルダ、着信設定等を登録する。着信設定では、例えば画像データ（ファイル名）を登録しておくことにより、着信時に表示部１４に登録画像を表示することができる。
【００４３】
そして、「シークレットデータ」を選択し、「登録」を設定する。これにより当該電話帳データは、シークレットデータとして登録される。シークレットデータ登録を解除する場合には「解除」を選択する。なお、これらの表記は一例であり、登録および解除が識別できる表記であればよい。
【００４４】
図４は、電話帳ファイルの内部構成を示す概要図である。電話帳ファイルはメモリ１２に保存されており、そのファイル内には相手先を識別する複数の識別情報データ、すなわち電話帳データを記憶している。
【００４５】
例えば、各行Ｚ１、Ｚ２、Ｚ３…はそれぞれ異なる電話帳データに関する記憶領域となっており、電話帳データは、各行毎のレコード単位で記憶されている。そして、各レコードは、登録番号データ２１、電話番号データ２２、電子メールのメールアドレスデータ２３、画像番号データ２４、氏名データ２５、シークレットデータ２６及びその他の情報データの各データフィールドから構成されている。
【００４６】
図３の電話帳データ入力画面で入力したデータは各フィールドに格納される。また、シークレットデータ登録すると、シークレットデータフィールド２６には例えばフラグ１がセットされ、シークレットデータ解除にするとフラグ０がセットされる。
【００４７】
次に、図５を参照して、シークレットモード設定手段について説明する。図５（Ａ）はシークレットモード設定手段であるアプリケーションメニューの画面を示す。シークレットモード設定を選択すると、暗証番号などで認証した後、モード設定及び解除の選択画面が表示される。
【００４８】
ここで、本実施形態では、シークレットモードが設定された状態である「強」、「標準」、「弱」およびシークレットモードが解除された状態である「解除」の４つのモードを選択できる。尚、これらの表記は説明の便宜上付した表記であり、４つのモードが識別できる表記であればこれに限らない。
【００４９】
シークレットモードのレベル「強」を設定すると、上記の電話帳データでシークレットデータに登録されたデータ（フラグ１が設定されているデータ）がすべて強レベルでシークレットモードが設定された状態となる。
【００５０】
同様に「標準」を選択するとすべてのシークレットデータが標準レベルに設定され、「弱」を選択するとすべてのシークレットデータが弱レベルに設定された状態となる。
【００５１】
また「解除」を選択するとシークレットデータとして登録してあっても、通常の電話帳データとして扱われる。
【００５２】
図５（Ｂ）には、各レベルに対応したシークレット制御の一例を説明する。本実施形態ではシークレットモードのレベル（強、標準、弱）により、電話帳ファイルの表示制御および着信通知の制御の設定を自動的に行う。つまり、ユーザは所望のシークレットモードを選択するだけでよい。図は、電話着信通知の制御例であるが、メール着信通知の場合も同様な制御ができる。また、電話帳ファイルを参照する場合には、図中の着信表示と同様の制御が可能となる。
【００５３】
制御項目としては、例えば着信音、着信表示、電話帳に登録した画像データの表示（ピクチャーコール）、履歴、アイコンなどがある。
【００５４】
（１）シークレットモード「強」の場合
着信音はオフ（バイブレーターオン）とし、表示部への電話帳データの着信表示はすべて非表示とする。また、ピクチャーコールも非表示とし、着信履歴表示のためのメモリへの保存も行わず、着信履歴も非表示とする。また、シークレットモード設定を識別するアイコンのピクト表示も行わない。すなわち、シークレットモードに設定しているかどうかも、認識しにくくなる。
【００５５】
（２）シークレットモード「標準」の場合
着信音はオン（バイブレーターオフ）とし、表示部への着信表示は電話帳データのメモリ番号のみ表示する。また、ピクチャーコールは非表示とし、着信履歴表示のため電話番号のみメモリへ保存する。すなわち着信履歴には電話番号のみ表示される。また、シークレットモード設定を識別するアイコンのピクト表示も行わない。
【００５６】
（３）シークレットモード「弱」の場合
着信音はオン（バイブレーターオフ）とし、表示部への着信表示は電話帳データのメモリ番号のみ表示する。また、ピクチャーコールは非表示とし、着信履歴表示のため電話番号のみメモリへ保存する。すなわち着信履歴には電話番号のみ表示される。また、シークレットモード設定を識別するアイコンをピクト表示する。
【００５７】
上記の制御例は、一例であり制御の組み合わせはこれに限らない。また、それぞれのモードの制御項目についてユーザ独自の設定も可能とする。このように、本実施形態では、シークレットデータとして登録したすべての電話帳データに対し、シークレットモード「強」、「標準」、「弱」、「解除」の４モードから選択して一括で設定できる。また、ユーザはシークレットモードのレベルを設定するだけで、着信通知に関する複数の制御を簡単に設定できる。
【００５８】
なお、シークレットモードは４モードで説明したがこれに限らず更に多くてもよい。また、「強」「弱」「解除」の３モードでもよい。シークレットモードの設定状態および解除状態の２モードであった従来に比べ、本実施形態では設定状態を更にレベル分けすることにより、またそのレベルの設定項目をカスタマイズ可能にすることにより、よりユーザ用途に合わせたレベル設定が可能となる。
【００５９】
図６を参照して本発明の携帯電話機の着信制御のフローを、電話着信の場合を例に説明する。尚、シークレットレベルは「強」「標準」「弱」「解除」の４モードとする。
【００６０】
携帯電話機１に電話着信があると（ステップＳ１）、その制御部１１はその電話番号を取得する（ステップＳ２）。制御部１１は、当該電話番号が電話帳ファイルの電話帳データとして登録されているかを検索し（ステップＳ３）、電話番号が登録されていない場合は、通常着信する（ステップＳ１４）。通常着信の場合制御部は、メモリ内に予め登録された通常着信設定を呼び出し、例えば着信音オン、電話番号表示等を行うため音声制御部１６、表示ドライバ部１３等に制御信号を送信する。
【００６１】
電話番号が電話帳データとして登録されている場合は、制御部１１は当該電話帳データがシークレットデータであるか否かを判断する（ステップＳ４）。シークレットデータでない場合は通常着信する（ステップＳ１４）。この場合の通常着信は、ユーザが予め通常着信時の制御としてメモリ１２に登録した設定を呼び出し、それに基づいて例えば電話番号、氏名、ピクチャーコールを表示部１４に表示し、着信音で通知する。一方シークレットデータ登録がされている場合は、制御部はシークレットモードを取得し、シークレットモードのレベルが「強」であるかを判断する（ステップＳ５）。レベル「強」の場合、制御部１１のシークレット制御手段はメモリ１２に保存されている「強」の設定を呼び出し（ステップＳ６）、その設定で着信制御する（ステップＳ７）。すなわち、図５（Ｂ）の場合であれば、制御部１１は着信音はオフ、バイブレーターオン、表示部１４への電話帳データの着信表示はすべて非表示、ピクチャーコールも非表示、シークレットモード設定を識別するアイコンのピクト表示も非表示となるように、音声制御部１６、表示ドライバ部１３等へ制御信号を送信する。また、着信履歴表示のためのメモリへ１２の保存も行わないようにする。
【００６２】
シークレットモードが「強」でない場合は、レベルが「標準」であるかを判断する（ステップＳ８）。レベル「標準」の場合、シークレット制御手段はメモリ１２に保存されている「標準」の設定を呼び出し（ステップＳ９）、その設定で着信制御する（ステップＳ１０）（図５（Ｂ）参照）。
【００６３】
シークレットモードが「標準」でない場合は、レベルが「弱」であるかを判断する（ステップＳ１１）。レベル「弱」の場合、シークレット制御手段はメモリ１２に保存されている「弱」の設定を呼び出し（ステップＳ１２）、その設定で着信制御する（ステップＳ１３）（図５（Ｂ）参照）。
【００６４】
シークレットモードが「強」「標準」「弱」の何れでもない場合は「解除」であるので、通常着信する（ステップＳ１４）。
【００６５】
次に、図７〜図１０を参照して本発明の第２の実施形態について説明する。第２の実施形態は、シークレットデータ設定手段により、レコード毎に少なくとも３段階のシークレットレベルでシークレットデータ登録し、シークレットモード設定手段により、複数のシークレットデータに対して一括してシークレットモードの設定・解除を行うものである。
【００６６】
第２の実施形態の外観図および電気的構成のブロック図は第１の実施形態の図１及び図２と同様であるので説明は省略する。
【００６７】
本実施の形態における制御部１１も、第１の実施形態と同様に、シークレットレベル設定手段と、シークレット制御手段を有する。シークレットレベル設定手段は、シークレットデータ設定手段とシークレットモード設定手段により、例えば個別の電話帳データのシークレットレベルを少なくとも３段階に設定する。
【００６８】
このとき、第２の実施形態のシークレットデータ設定手段は、電話帳データを個別に少なくとも３段階のシークレットレベルでシークレットデータ登録する。
【００６９】
一方シークレットモード設定手段は、登録された複数のシークレットデータに対して一括してシークレットモードの設定および解除を行う。
【００７０】
なお、シークレット制御手段は、第１の実施形態と同様であるので説明は省略する。
【００７１】
以下に、本実施形態のシークレットデータ設定手段と、シークレットモード設定手段について、電話帳データを例に更に説明する。
【００７２】
図７は第２の実施形態のシークレットデータ設定手段である電話帳データの入力画面を示す図である。本実施形態では、他人に知られたくない電話帳データをシークレットデータとして登録できるが、このとき少なくとも３段階のレベルでシークレットデータ登録を行う。
【００７３】
図示の如く、電話帳データは、氏名、電話番号、メールアドレス、メールアドレスの受信フォルダ、着信設定等を登録する。着信設定では、例えば画像データ（ファイル名）を登録しておくことにより、着信時に表示部に登録画像を表示することができる。
【００７４】
そして、「シークレットデータ」を選択する。このとき、シークレットレベル「強」、「標準」、「弱」および「解除」の４つのモードを選択できる。尚、これらの表記は一例であり、４つのモードが識別できる表記であればよい。
【００７５】
シークレットレベル「強」「標準」「弱」のいずれかを選択すると、その電話帳データはシークレットデータとして登録され、「解除」を選択するとシークレットデータとして登録されない。
【００７６】
図８は、電話帳ファイルの内部構成を示す概要図である。電話帳ファイルはメモリ１２に保存されており、そのファイル内には相手先を識別する複数の識別情報データ、すなわち電話帳データを記憶している。
【００７７】
例えば、各行Ｚ１、Ｚ２、Ｚ３…はそれぞれ異なる人名に関する記憶領域となっており、この各行毎に各電話帳データは、レコード単位で記憶されている。そして、各レコードは、登録番号データ２１、電話番号データ２２、電子メールのメールアドレスデータ２３、画像番号データ２４、氏名データ２５、シークレットデータ２６及びその他の情報データの各データフィールドから構成されている。
【００７８】
図７の電話帳データ入力画面で入力したデータは各フィールドに格納される。また、シークレットデータ登録時のレベルに応じて、シークレットデータフィールドには例えばレベル「強」の場合にはフラグ１１がセットされ、「標準」の場合にはフラグ１０がセットされ、「弱」の場合にはフラグ０１がセットされる。シークレットデータ「解除」の場合にはフラグ００がセットされる。
【００７９】
次に、図９を参照して、シークレットモード設定手段について説明する。図はシークレットモード設定手段であるアプリケーションメニューの画面を示す。シークレットモード設定を選択すると、暗証番号などで認証した後、シークレットモード設定及び解除の選択画面が表示される。
【００８０】
第２の実施形態では、シークレットモードの設定状態（「設定」）および解除状態（「解除」）を選択できる。尚、これらの表記は説明の便宜上付したものであり、２つのモードが識別できる表記であればこれに限らない。
【００８１】
設定状態にすると、上記の電話帳データでシークレットデータとして登録されたデータが、それぞれ登録された「強」、「標準」、「弱」のいずれかのレベルでシークレットモード設定状態となる。
【００８２】
すなわち、フラグ１１が設定されているデータは「強」レベルのシークレットモード設定状態となり、フラグ１０が設定されているデータは「標準」レベル、フラグ０１が設定されているデータは「弱」レベルでシークレットモード設定状態となる。
ここで、シークレットモードを設定状態にしても、シークレットデータでない電話帳データ（フラグ００）は、通常の電話帳データとして扱われる。
【００８３】
シークレット制御の一例については、第１の実施形態の図５（Ｂ）およびその説明と同様であるので省略する。
また、それぞれのモードの制御項目についてユーザ独自の設定も可能とする。このように、本実施形態では、シークレットデータ登録の際に個別の電話帳データに対してシークレットレベル「強」、「標準」、「弱」、「解除」の４モードから選択する。そしてシークレットモードを一括して設定状態にすることにより、それぞれの電話帳データを個別のレベルでシークレットモード設定状態できる。また、複数の着信通知の制御を簡単に設定できる。
【００８４】
なお、シークレットデータ登録時のレベルは「強」「標準」「弱」「解除」の４モードで説明したがこれに限らず更に多くてもよい。また、「強」「弱」「解除」の３モードでもよい。シークレットデータの「登録」および「解除」の２モードであった従来に比べ、「登録」の状態を更にレベル分けすることにより、またそのレベルの設定項目をカスタマイズ可能にすることにより、よりユーザ用途に合わせたレベル設定が可能となる。
【００８５】
図１０を参照して第２の実施形態の着信制御のフローを、電話着信の場合を例に説明する。尚、シークレットデータのレベルは「強」「標準」「弱」とシークレットデータ解除の４モードとする。
【００８６】
携帯電話機１に電話着信があると（ステップＳ２１）、その制御部１１はその電話番号を取得する（ステップＳ２２）。制御部１１は、当該電話番号が電話帳ファイルの電話帳データとして登録されているかを検索し（ステップＳ２３）、電話番号が登録されていない場合は、通常着信する（ステップＳ２４）。通常着信の場合制御部１１は、メモリ１２内に予め登録された通常着信設定を呼び出し、例えば着信音オン、電話番号表示等を行うため音声制御部１６、表示ドライバ部１３等に制御信号を送信する。
【００８７】
電話番号が電話帳データとして登録されている場合は、制御部１１は、シークレットモードが設定されているか否かを判断する（ステップＳ２４）。シークレットモードが解除状態の場合は、通常着信する（ステップＳ３４）。この場合の通常着信は、ユーザが予め通常着信時の制御としてメモリ１２に登録した設定を呼び出し、それに基づいて例えば電話番号、氏名、ピクチャーコールを表示部１４に表示し、着信音で通知する。
一方シークレットモード設定状態の場合は、制御部１１は電話帳データのシークレットデータのレベルが「強」であるかを判断する（ステップＳ２５）。レベル「強」の場合、制御部１１のシークレット制御手段はメモリ１２に保存されているレベル「強」の設定を呼び出し（ステップＳ２６）、その設定で着信制御する（ステップＳ２７）。すなわち、図５（Ｂ）の場合であれば、制御部１１は着信音はオフ、バイブレーターオン、表示部への電話帳データの着信表示はすべて非表示、ピクチャーコールも非表示、シークレットモード設定を識別するアイコンのピクト表示も非表示となるように、音声制御部１６、表示ドライバ部１３等へ制御信号を送信する。また、着信履歴表示のためのメモリ１２への保存も行わない。
【００８８】
シークレットデータのレベルが「強」でない場合は、レベルが「標準」であるかを判断する（ステップＳ２８）。レベル「標準」の場合、シークレット制御手段はメモリ１２に保存されている「標準」の設定を呼び出し（ステップＳ２９）、その設定で着信制御する（ステップＳ３０）（図５（Ｂ）参照）。
【００８９】
シークレットデータのレベルが「標準」でない場合は、レベルが「弱」であるかを判断する（ステップＳ３１）。レベル「弱」の場合、シークレット制御手段はメモリ１２に保存されている「弱」の設定を呼び出し（ステップＳ３２）、その設定で着信制御する（ステップＳ３３）（図５（Ｂ）参照）。
【００９０】
シークレットデータのレベルが「強」「標準」「弱」の何れでもない場合は「解除」すなわちシークレットデータではないので、通常着信する（ステップＳ３４）。
【００９１】
なお、本実施の形態では、電話着信時のシークレット動作について説明したが、これに限定されるものではなく、スケジュールや画像データの閲覧時にシークレット動作を行うようにしてもよい。例えば、シークレットレベルまたはシークレットデータのレベルが「強」のとき、シークレットデータが設定された電話帳データのレコードに関係する情報が含まれるすべてのスケジュールの一覧画面および詳細画面を閲覧禁止にし、シークレットレベルまたはシークレットデータのレベルが「標準」のとき、シークレットデータが設定された電話帳データのレコードがリンクされたスケジュールの一覧画面および詳細画面を閲覧禁止にし、シークレットレベルまたはシークレットデータのレベルが「弱」のとき、シークレットデータが設定された電話帳データのレコードに関係する情報が含まれるすべてのスケジュールの一覧画面を閲覧許可し詳細画面を閲覧禁止にするようにしてもよく、このような構成とすることで、秘匿性をより高めることができる。
【００９２】
また、シークレットデータとして登録するレコードを電話帳データとしたが、これに限定されるものではなく、例えば画像データやスケジュールデータ等に対しても個別にシークレットデータを登録するようにしてもよく、このような構成とすることで、スケジュール機能や画像データ閲覧機能等に対しても、ユーザ用途に応じたシークレットレベルを設定することができ、これらの表示・非表示を制御する等のシークレット制御が可能となる。
【図面の簡単な説明】
【００９３】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明するための概略機能ブロック図である。
【図３】同携帯電話機のシークレットデータ設定手段を説明する図である。
【図４】同携帯電話機の電話帳データの内部構成を説明する図である。
【図５】同携帯電話機の（Ａ）シークレットモード設定手段を説明する図であり、（Ｂ）シークレット制御手段を説明する図である。
【図６】同携帯電話機のシークレット制御を説明するフローチャートである。
【図７】同携帯電話機のシークレットデータ設定手段を説明する図である。
【図８】同携帯電話機の電話帳データの内部構成を説明する図である。
【図９】同携帯電話機のシークレットモード設定手段を説明する図である。
【図１０】同携帯電話機のシークレット制御を説明するフローチャートである。
【符号の説明】
【００９４】
１          携帯電話機
２          スピーカー
３          マイク
４          副表示部
５          撮像部
６          背面キー
１０          バイブレータ
１１          制御部
１２          メモリ
１３          表示ドライバ部
１４          表示部
１５          キー操作部
１６          音声制御部
１７          アンテナ
１８          無線部
１９          通信制御部
【図１】
2005198170.tif 000003
【図２】
2005198170.tif 000004
【図３】
2005198170.tif 000005
【図４】
2005198170.tif 000006
【図５】
2005198170.tif 000007
【図６】
2005198170.tif 000008
【図７】
2005198170.tif 000009
【図８】
2005198170.tif 000010
【図９】
2005198170.tif 000011
【図１０】
2005198170.tif 000012